(57)【要約】      （修正有） 【課題】設備業者が電気工事士の資格を有している場合には施工作業を容易でかつ早く行うことができ、また、設備業者が電気工事士の資格を有していない場合には電気配線工事を後で行うことができ、電気工事業者が本体施工する場合には良好な施工性で行うことができる換気扇を提供する。【解決手段】  送風機６が内部に設けられた箱型の本体１と、外部電源線１７と接続可能な接続部２６と、接続部２６と電気的に接続可能であるとともに送風機６とモーターリード線１５により電気的に接続されるリード接続部２８とを有する接続ターミナル１４と、接続部２６を本体外部または本体内部のいずれかに位置するように切り換えるための選択手段とを備える。【選択図】  図１
2007093205.tif 000002
【特許請求の範囲】
【請求項１】
送風機が内部に設けられた箱型の本体と、
外部電源線と接続可能な接続部と、前記接続部と電気的に接続可能であるとともに前記送風機とモーターリード線により電気的に接続されるリード接続部とを有する接続ターミナルと、
前記接続部を前記本体外部または前記本体内部のいずれかに位置するように切り換えるための選択手段とを備える換気扇。
【請求項２】
リード接続部は速結端子機能を有する請求項１に記載の換気扇。
【請求項３】
接続ターミナルは、本体天面のコーナー部のうち、送風機が収納されたファンケーシングの舌部が位置する前記コーナー部に設けられている請求項１に記載の換気扇。
【請求項４】
接続ターミナルは、本体天面に平行な軸を有し、接続部が本体外部および前記本体内部のいずれにも位置するように前記軸を中心に回動する請求項１に記載の換気扇。
【請求項５】
送風機が内部に設けられた本体に外部電源線を引き込む工程と、
前記本体を取り付ける工程と、
前記外部電源線と接続可能な接続部と、前記接続部と電気的に接続可能であるとともに前記送風機とモーターリード線により電気的に接続されるリード接続部と、前記接続部が前記本体の外部または内部のいずれかに位置するように切り換えるための選択手段とを有する接続ターミナルにおいて前記本体の内部に位置する前記接続部に前記外部電源線を接続する工程とを備える換気扇の取付方法。
【請求項６】
外部電源線と接続可能な接続部と、前記接続部と電気的に接続可能であるとともに本体内部に設けられた送風機とモーターリード線により電気的に接続されるリード接続部と、前記接続部が前記本体の外部または内部のいずれかに位置するように切り換えるための選択手段とを有する接続ターミナルにおいて前記本体の外部に位置する前記接続部に前記外部電源線を接続する工程と、
前記本体を取り付ける工程とを備える換気扇の取付方法。
【発明の詳細な説明】
【技術分野】
【０００１】
この発明はダクト用換気扇の外部電源線の配線工事に関するものである。
【背景技術】
【０００２】
従来、この種のダクト用換気扇の取付方法については、例えば実開昭６０−１７０６５６号公報に示すような構成のもので行うのが一般的であった。以下、この従来のダクト用換気扇について、図面を参照しながら説明する。
図９は従来のダクト用換気扇における設置時の状態を示す横断面図、図１０は図９に示すダクト用換気扇の正面図、図１１は図９に示すダクト用換気扇の設置時の状態を示す縦断面図、図１２は図９に示すダクト用換気扇のファンカバーの状態を示す斜視図、図１３は図９に示すダクト用換気扇の設置方法の状態を示す斜視図である。
【０００３】
図９〜図１２において、１１１は下面に吸込口１１２を有する換気扇ケーシングであり、この換気扇ケーシング１１１は、開口縁のフランジ部１１１ａが天井板１１３の野縁１１３ａにねじ等により固定されている。１１４はケーシング１１１の天板に据付けたモーターであり、１１５はモーター１１４から垂下したモーター軸１１４ａに支承したファンである。
【０００４】
１１６はファン１１５を覆うと共に吸込口１１２と対応して開口部１１６ａを有するファンカバーである。１１７は図１２に示すようにファンカバー１１６の吐出口付近における凹部スペース１１６ｂの外端部に取付けた支持板で、表面に突起１１７ａを設けている。１１８はＬ字形状の端子取付板で、これに電源端子板１１９を備えており、上記端子取付板１１８はこれを凹部スペース１１６ｂ側へ位置して取付片１１８ａを上記支持板１１７の突起１１７ａへねじ１２０で固定している。１２１はケーシング１１１の天板にあけた電源線の引出孔である。
【０００５】
このように構成したこの考案の電源線取付け作業は、図１３に示すように先ず端子取付け板１１８の電源端子盤１１９にモーター１１４からの口出線１２６を接続すると共に、電源線１２７を接続した後、端子取付板１１８を凹部スペース１１６ｂへ位置決めし、取付片１１８ａの孔からねじ１２０を支持板１１７の突起１１７ａにねじ締めして取付けることができる。
【０００６】
この際、電源端子板１１９と電源線１２７の接続は電気工事になるため、例えば、電気工事の資格を有しない設備業者が換気扇を取付ける場合は、上記接続は行わず、電源線１２７を換気扇ケーシング１１１内に引き込み、本体の取付施工を行う。通常、化粧グリル１２５の取付けは、汚れの問題からこの時点では取付けを行わず、内装工事が完了した時点で行うため、この時点で、電気工事の資格を有する電気工事士が上記接続と、化粧グリル１２５の取付けを行えば良い。
【０００７】
また、本体の取付工事の時点では、電源線１２７は配線されているが、他の照明器具などの配線工事が完了するまでは通電されていない場合が多い。内装工事が完了した後でなければ、電源線１２７は通電されない場合がある。このため、内装工事が完了した時点で電気工事の資格を有する電気工事士が、上記電源端子板１１９と電源線１２７の接続と、化粧グリル１２５の取付けとを行い、その後に試運転すれば良い。
【０００８】
次に、従来、ダクト用換気扇の他の取付方法については、例えば実開昭５６−１０１５２４号公報に示すような構成のものが一般的であった。以下、その構成について図１４、１５を参照しながら説明する。図１４に示すように、２０１は下面が開放する矩形箱状の外箱で、これの開口縁部に外方に折曲げられたフランジ部２０２が設けられている。
【０００９】
２０３は天井２０４に外箱２０１を挿入すべく設けられた取付用開口部で、これの周縁は天井板２０４ａを打付ける野縁２０５が配置されている。外箱２０１は室内側より取付用開口部２０３に挿入しており、フランジ部２０２は野縁２０５にねじ止めにより固着している。２０６は回転軸２０６ａに換気用のファン２０７を直結したモーターで、これは外箱２０１の上面板２０１ａの下面側に溶接により固着された支持板２０８に下方からのねじ止めによって固着されている。
【００１０】
２０９はファン２０７と対応する吸気口２１０を形成したベルマウスで、これは外箱２０１の内側壁に溶接により固着された支持板２１１に下方からのねじ止めによって固着されている。２１２はベルマウス２０９に設けられたボス部２０９ａにねじ止めにより固着された第１の支持板である。２１３は第１の支持板２１２の先端部に蝶ねじ２１４にて上下調整可能に固着された第２の支持板である。
【００１１】
２１５は複数個の吸気孔２１５ａを形成した化粧枠であり、この化粧枠２１５は外箱２０１の下面の開口部を覆うようにして周縁部が天井板２０４ａの下面に当接されている。化粧枠２１５は、第２の支持板２１３の下面部に設けられたねじ部２１３ａに袋ナット２１６を介して支持されている。２１７は外箱２０１の側板２０１ｂ、２０１ｃが隣接した一隅角部の上部に形成された開口部である。
【００１２】
この開口部２１７の下縁部には上面板２０１ａと平行な取付面２１８ａを有する支持板２１８が例えば溶接等によって固着されており、これの取付面２１８ａの中央部にねじ孔２１８ｂが穿設されている。２１９は垂下板部２１９ａの下端に取付部２１９ｂを折曲形成するとともに、垂下板部２１９ａ及び取付部２１９ｂの周縁に外箱２０１の内面に当接する複数個の舌片部２１９ｃを設けた端子取付体としての取付板である。
【００１３】
この取付板２１９は、取付部２１９ｂの上面を取付面２１８ａの下面に当接させて、取付部２１９ｂに設けられたねじ挿通孔２１９ｄを介してねじ孔２１８ｂに下方より蝶挿されるねじ２２０によって外箱２０１内に固着されており、取付板２１９によって開口部２１７が閉塞されるようになっている。２２１は取付板２１９の垂下板部２１９ａに取付舌片２２２を介して固着された接続端子部としての接続ターミナルである。
【００１４】
２２３は接続ターミナル２２１の近傍に位置させて垂下板部２１９ａに設けられたリード線挿通孔である。モーター２０６からのリード線２０６ｂは、リード線挿通孔２２３に勘合されたブッシュ２２４を貫通して、予め接続ターミナル２２１に接続されている。２２５は略三角形の上面部２２５ａ及び該上面部２２５ａから下方に垂下して互いに直角に隣接する側板部２２５ｂ及び側板部２２５ｃからなる蓋体としての蓋板である。
【００１５】
側板部２２５ｂから側方に向けて突出された２つの突起部２２５ｄは、略Ｕ字形に曲成するとともに、該突起部２２５ｄは、側板２０１ｂに設けられた長孔２２６、２２６に回動可能に挿入する。以って、蓋板２２５は、開口部２１７を閉塞して接続ターミナル２２１を覆うようにしている。２２７は天井裏に配線された外部電源線で、これの一端部が接続ターミナル２２１に連結されて、モーター２０６からのリード線２０６ｂに電気的に接続されるようになっている。
【００１６】
２２５ｅは蓋板２２５を閉塞した時に外部電源線２２７を導出するための略コ字形の切欠部である。この切欠部２２５ｅには外部電源線２２７を保護するクッション材２２８が勘着されている。２２９は側板部２２５ｃに設けられたねじ挿通孔、２３０はこのねじ挿通孔２２９と対応するように側板２０１ｃに設けられたねじ孔である。
【００１７】
２３１は側板部２２５ｃに設けられたねじ挿通孔２２９を介して、側板２０１ｃに設けられたねじ孔２３０に固定されるねじである。２３２は外箱２０１の側板２０１ｄに設けられた排気口で、ここにシャッター２３３ａを有する排気口体２３３が固着されている。該排気口体２３３には、一端部が連結された排気管２３４の他端部が天井裏を介して屋外に導出されている。
【００１８】
次に、図１４、１５に示すダクト用換気扇の作用について説明する。例えば、新築中の家屋に換気扇を取付ける場合には、野縁２０５に天井板２０４ａを打ち付ける前の段階で、取付用開口部２０３にフランジ部２０２をねじ止めすることによって外箱２０１を固着する。次いで、ねじ２３１を外して突起部２２５ｄを、長孔２２６を支点として回動させることにより、蓋板２２５を開放して外部電源線２２７を接続ターミナル２２１に接続する。
【００１９】
接続後、蓋板２２５を元通りに閉塞して、ねじ２３１はねじ挿通孔２２９を介してねじ孔２３０に蝶挿するようにする。次いで、同時に排気管２３４を排気口体２３３に連結しておき、その後に野縁２０５に天井板２０４ａを打付けるようにし、天井板２０４ａの打付け後に化粧枠２１５を、袋ナット２１６を介して取付用開口部２０３を覆うようにして外箱２０１に装着する。
【００２０】
ところで、モーター２０６が故障した場合には、化粧枠２１５を外した後、ベルマウス２０９を支持板２１１から外して室内側に取出す。次いで、ねじ２２０をねじ孔２１８ｂから外して、取付板２１９を室内側に向けて下方に引き出す。そして、モーター２０６のリード線２０６ｂを接続ターミナル２２１から取外し、その後にモーター２０６を支持板２０８から外して室内側に取出すようにする。
【００２１】
その後は、新品のモーター２０６を支持板２０８に固着した後に、該モーター２０６からのリード線２０６ｂを、ブッシュ２２４を貫通させて接続ターミナル２２１に連結して、取付板２１９をねじ２２０にて室内側より支持板２１８に固着する。更に、ベルマウス２０９と化粧枠２１５とを室内側よりそれぞれ支持板２１１及び第２の支持板２１３に固定する。
【００２２】
従って、以上のような換気扇の取付方法によれば、修理・点検のために外部電源線２２７とモーター２０６のリード線２０６ｂとの接続を外す必要が生じた場合でも、前述したようにこれらの作業を全て室内側から行うことができるので、作業者が天井裏に入る必要が全くなく、作業を簡単に行うことが可能となる。また、外部電源線２２７との接続箇所の取外し及び接続の作業も、室内側から行うことができる。
【００２３】
この取付例では、換気扇本体及び排気管を取付ける設備工事と電気配線を行う電気工事が共に存在する。例えば設備業者が電気工事士の資格を有し、このような業者が取付ける場合には問題がない。しかしながら、例えば電気工事の資格を有しない設備業者が施工を行う場合には、工事の途中で電気工事を電気工事業者に依頼しなければならない。
【００２４】
また、逆に電気工事業者が施工する場合には排気管を取付ける工事の部分を設備工事に依頼する必要があり、この両者の仕事の責任分担が明確になり難い。また、この取付例では、アース工事部分の説明を省略しているが、浴室などで使用される場合には、アース工事は必ず必要で、また、浴室以外の用途においてもアース工事を行う場合が多い。
【００２５】
次に、従来、ダクト用換気扇の更に他の取付方法については、例えば特開平９−８９３４１号公報に示すような構成のものが一般的であった。以下、その構成について図１６、１７を参照しながら説明する。この従来のダクト用換気扇は、天井板３０４ａに設けられた取付用開口部３０３に挿入される形状で、下面を開放し、側面に排気口３１８を形成した箱型本体３０１を有している。このダクト用換気扇は、本体３０１の内部に設けられる送風機３０６とこの送風機３０６に入力する外部電源線３１７を接続する接続部３１４ａを有している。
【００２６】
このダクト用換気扇は、配線板３１６に設けられる接続ターミナル３１４と、本体３０１の天面３０１ａに接続ターミナル３１４の接続部３１４ａが露出する天面開口部３０１ｂとを備えている。さらに、ダクト用換気扇は、本体３０１内に配線板３１６を介して吸込側から組み込まれた接続ターミナル３１４の接続部３１４ａを天面開口部３０１ｂより外方に露出し、外部電源線３１７を接続する構成としたものである。
【００２７】
ここでのダクト用換気扇の構成は前述した図１４、１５の構成とほぼ同様であるので、電気配線部分のみについて以下に説明する。接続ターミナル３１４は送風機３０６に電源を供給するために設けられている。リード線３１５により送風機３０６と接続ターミナル３１４は接続され、接続ターミナル３１４は配線板３１６にねじにより固着されている。
【００２８】
接続ターミナル３１４の接続部３１４ａが本体３０１の天面３０１ａに設けられた天面開口部３０１ｂから本体３０１の外側に露出するように、配線板３１６はベルマウス３０８にねじ止めにより固着されている。そして、外部電源線３１７は天井裏に配線され、一端が接続ターミナル３１４に連結されてリード線３１５に電気的に接続されるようになっている。
【００２９】
上記構成においては、例えば、新築中の家屋に換気扇を取付ける場合には、野縁３０５に天井板３０４ａを打ち付ける前の段階で、取付用開口部３０３にフランジ部３０２をねじ止めすることによって本体３０１を固着する。次いで、接続ターミナル３１４の接続部３１４ａに外部電源線３１７を接続し、ダクト３２１にアダプター３２０を連結する。その後、野縁３０５に天井板３０４ａを打付けるようにし、天井板３０４ａの打付け後にばね３１３を化粧枠取付金具３１１に挿入、支持させることにより、化粧枠３１２を取付用開口部３０３を覆うようにして本体３０１に装着する。
【００３０】
ところで、送風機３０６が故障した場合には、化粧枠３１２を外した後、ベルマウス３０８と化粧枠取付金具３１１を支持板３１０から室内側に取り出す。次いで、配線板３１６を室内側に向けて下方に引き出した後に、送風機３０６のリード線３１５を接続ターミナル３１４から取り外し、その後に送風機３０６を本体３０１の天面３０１ａから外して室内側に取出す。
【００３１】
その後は、新品の送風機３０６を本体３０１の天面３０１ａの下面に固着し、次いで、送風機３０６からのリード線３１５を接続ターミナル３１４に連結してベルマウス３０８と化粧枠取付金具３１１を支持板３１０に固着する。そして、配線板３１６を室内側よりベルマウス３０８に固定し、ばね３１３によって化粧枠３１２を化粧枠取付金具３１１に挿入支持する。
【００３２】
以上の説明からも明らかなように、外部電源線３１７との接続箇所の取外し及び接続の作業を、室内側からも行うことができる。このように、配線板３１６に設けた接続ターミナル３１４を本体３０１内に組み込むことにより、本体３０１の天面に形成した天面開口部３０１ｂより接続ターミナル３１４の接続部３１４ａを天井裏に露出させて構成している。このため、外部電源線３１７を単に接続する作業だけで外部電源線３１７を接続することができるので、接続作業が容易となる。
【００３３】
この取付例では、前述した図１４、１５の従来例の場合に比べ、外部電源線３１７の接続を容易にかつ早く接続することができる。しかしながら、例えば設備業者が電気工事士の資格を有し、このような業者が取付ける場合には問題がないが、電気工事士の資格を持たない設備業者が施行を行うような場合は、結局前述した図１４、１５の従来例と同様、工事の途中で電気工事を電気工事業者に依頼しなければならなかった。
【００３４】
【特許文献１】実開昭６０−１７０６５６号公報
【発明の開示】
【発明が解決しようとする課題】
【００３５】
上記した図９〜図１３に示す従来のダクト用換気扇では、電源端子板１１９と電源線１２７の接続が電気工事になる。このため、例えば、電気工事の資格を有しない設備業者が換気扇を取付ける場合は、設備業者は、上記電源端子板１１９と電源線１２７の接続を行わず、電源線１２７を換気扇ケーシング１１１内に引き込み、本体の取付施工を行う。
【００３６】
そして、内装工事が完了した時点で、電気工事の資格を有する電気工事士が上記電源端子板１１９と電源線１２７の接続と、化粧グリル１２５の取付けを行い、その後に試運転すれば良い。しかしながら、電気工事の資格を有する設備業者が施工を行う場合には、本体内部の狭いスペースで電気配線するため、結線作業を行い難く、また速結端子部分の耐湿処理も必要で製造コストが高くなる等の問題があった。
【００３７】
また、上記した図１４、１５に示す従来のダクト用換気扇では、結線作業を本体外部よりできるなどの利点がある。上記した図１６、１７に示す従来のダクト用換気扇では、製造コストを安価に構成でき、浴室仕様などにおいては、速結端子部分を高湿の雰囲気に晒されないようにでき、結合作業が容易などの利点がある。
【００３８】
しかしながら、例えば、設備業者が電気工事士の資格を有し、このような業者が取付ける場合には問題がないが、電気工事士の資格を持たない設備業者が施行を行う場合は、設備業者の仕事の期間に電気工事業者も仕事を行う必要がある。例えば、この両者の仕事の期間の調整が必要となるばかりか、本体内部からは電源接続部のチェックを行うことができず、責任分担も明確にならないなどの問題があった。
【００３９】
本発明は、上記課題を解決するもので、例えば設備業者が電気工事士の資格を有している場合には施工作業を容易でかつ早く行うことができ、また、設備業者が電気工事士の資格を有していない場合には電気配線工事を後で行うことができ、電気工事業者が本体施工する場合には良好な施工性で行うことができるダクト用換気扇を提供することを目的とする。
【課題を解決するための手段】
【００４０】
本発明に係る換気扇は、送風機が内部に設けられた箱型の本体と、外部電源線と接続可能な接続部と、接続部と電気的に接続可能であるとともに送風機とモーターリード線により電気的に接続されるリード接続部とを有する接続ターミナルと、接続部を本体外部または本体内部のいずれかに位置するように切り換えるための選択手段とを備えるものである。
【００４１】
また、本発明に係る換気扇の取付方法は、送風機が内部に設けられた本体に外部電源線を引き込む工程と、本体を取り付ける工程と、外部電源線と接続可能な接続部と、接続部と電気的に接続可能であるとともに送風機とモーターリード線により電気的に接続されるリード接続部と、接続部が本体の外部または内部のいずれかに位置するように切り換えるための選択手段とを有する接続ターミナルにおいて本体の内部に位置する接続部に外部電源線を接続する工程とを備えるものである。
【００４２】
また、本発明に係る換気扇の取付方法は、外部電源線と接続可能な接続部と、接続部と電気的に接続可能であるとともに本体内部に設けられた送風機とモーターリード線により電気的に接続されるリード接続部と、接続部が本体の外部または内部のいずれかに位置するように切り換えるための選択手段とを有する接続ターミナルにおいて本体の外部に位置する接続部に外部電源線を接続する工程と、本体を取り付ける工程とを備えるものである。
【発明の効果】
【００４３】
本発明に係る換気扇は、送風機が内部に設けられた箱型の本体と、外部電源線と接続可能な接続部と、接続部と電気的に接続可能であるとともに送風機とモーターリード線により電気的に接続されるリード接続部とを有する接続ターミナルと、接続部を本体外部または本体内部のいずれかに位置するように切り換えるための選択手段とを備えるので、施工性が向上する。
【００４４】
また、本発明に係る換気扇の取付方法は、送風機が内部に設けられた本体に外部電源線を引き込む工程と、本体を取り付ける工程と、外部電源線と接続可能な接続部と、接続部と電気的に接続可能であるとともに送風機とモーターリード線により電気的に接続されるリード接続部と、接続部が本体の外部または内部のいずれかに位置するように切り換えるための選択手段とを有する接続ターミナルにおいて本体の内部に位置する接続部に外部電源線を接続する工程とを備えるので、電気工事士の資格の有無に伴う工事期間の調整負担を軽減できる。
【００４５】
また、本発明に係る換気扇の取付方法は、外部電源線と接続可能な接続部と、接続部と電気的に接続可能であるとともに本体内部に設けられた送風機とモーターリード線により電気的に接続されるリード接続部と、接続部が本体の外部または内部のいずれかに位置するように切り換えるための選択手段とを有する接続ターミナルにおいて本体の外部に位置する接続部に外部電源線を接続する工程と、本体を取り付ける工程とを備えるので、外部電源線と接続部との接続を容易にする。
【発明を実施するための最良の形態】
【００４６】
以下に、本発明における実施の形態を、図面を参照して説明する。
実施の形態１．
図１は実施の形態１によるダクト用換気扇における設置時の状態を示す横断面図、図２は図１に示すダクト用換気扇の正面図、図３は図１に示すダクト用換気扇における設置時の状態を示す部分横断面図、図４は実施の形態１による接続ターミナルの斜視図である。
【００４７】
図１〜５において、ダクト用換気扇には、下面を開放した矩形箱状の本体１の開口縁部に外方に折り曲げられたフランジ部２を設けている。ダクト用換気扇の取付用開口部３は、天井４に本体１を挿入すべく設けられ、周縁には天井板４ａを打付ける野縁５が配置されている。送風機６はモーターの回転軸６ａに排気用ファン７を袋ナット１０で直結しており、本体１の上面１ａの下面にねじ１３により固着されている。
【００４８】
また、樹脂製のファンケーシング８は排気用ファン７と対応する吸込口９を形成しており、本体１の天面１ａに下方からのねじ１６により固着されている。そして、化粧グリル引っ掛け部１１はファンケーシング８と一体成形され、化粧グリル１２は空気を通過するための開口１２ａを有している。
【００４９】
化粧グリル１２は本体１の下面の開口部を覆うようにして、周縁部１２ｂが天井板４ａの下面に当接されるように配置されている。そして、化粧グリル１２は図示しない化粧グリル１２に設けられたバネにより、前述した図１６のように化粧グリル引っ掛け部１１に着脱自在に引っ掛け固定されている。
【００５０】
また、接続ターミナル１４は細長い四角柱でその長手方向の対向する２面に速結端子機能を有するＡ接続部２６、Ｂ接続部２７を有している。接続ターミナル１４におけるＡ接続部２６とＢ接続部２７の中間部には、モーターリード線１５を接続するリード接続部２８を有している。このリード接続部２８はＡ接続部２６とＢ接続部２７と電気的に接続されている。
【００５１】
すなわち、Ａ接続部２６とリード接続部２８、Ｂ接続部２７とリード接続部２８、及びＡ接続部２６とＢ接続部２７は電気的に接続されている。さらに、Ａ接続部２６とＢ接続部２７の間には接続ターミナル１４を固定する接続ターミナル固定部２９を有している。また、接続ターミナル１４の本体１内に面する側には外部電線仕切壁３２が設けられている。
【００５２】
接続ターミナル１４は本体天面１ａのコーナー部において、ファンケーシング８の舌部８ａに位置する部分に設けられた天面開口部１ｂから、Ａ接続部２６が本体１の外側に露出するように接続ターミナル固定部２９にてねじ３０により固着されている。この状態においては、Ｂ接続部２７は本体１の内面側に面しており、さらにリード接続部２８も本体内面側に面している。
【００５３】
また、天面開口部１ｂと接続ターミナル１４の結合面において、接続ターミナル固定部２９の形状はフランジ形状にしてもよいし、接続ターミナル固定部２９にパッキン材を張り付けてもよく、これによりエアー漏れのないように固着することができる。また、天面開口部１ｂの近傍には外部電源線１７を本体１内に引き込むための電源線穴１ｃが設けられている。
【００５４】
この電源線穴１ｃには外部電源線１７を保護するゴム製のコードブッシュ３１が取付けられている。この状態で、コードブッシュ３１側とリード接続部２８側は接続ターミナル１４により本体１内部で空間を区画されている。さらに接続ターミナル１４の側面に設けられた外部電線は仕切壁３２により、完全に区画されている。外部電源線１７は天井裏に配線されている。
【００５５】
なお、接続ターミナル１４は図４の構成のほかに例えば図５に示すように、接続ターミナル１４のリード接続部２８側にコンデンサーモーターを起動させるためのコンデンサーを収納する収納部３３を設けるように構成してもよい。
【００５６】
次に、電気配線工事について説明する。大きく分けて２種類の配線方法がある。先ず、図９〜１３に示す従来例と同様の取付方法で主に設備業者の場合は、外部電源線１７を前記コードブッシュ３１から、本体１内に引き込んでおき、本体の取付施工を行う。この際、外部電源線１７の本体内への挿入は、接続ターミナル１４の側面に設けられた外部電線仕切壁３２により本体側面との空間部分が確保され、容易に行うことができる。
【００５７】
内装工事が完了した時点で、電気工事の資格を有する電気工事士が外部電源線１７と本体１の内部に位置したＢ接続部２７を接続した後、化粧グリル１２の取付けを行い、その後に試運転すれば良い。なお、この例では、外部電源線１７は図１、３では破線で示している。
【００５８】
次に、図１４、１５に示す従来例と図１６、１７に示す従来例と同様の取付方法で主に電気工事業者または、設備業者が電気工事士の資格を有する場合は、外部電源線１７を前記本体１の外側に露出するように設けられたＡ接続部２６に、野縁５に天井板４ａを打ち付ける前の段階で接続する。その後、前記と同様の取付工事を行えば、前記に比べ外部電源線１７とＡ接続部２６の接続が容易にかつ早く行うことができる。なお、この例では、外部電源線１７は図１、３では実線で示している。
【００５９】
ところで、送風機６が故障した場合には、図１６、１７に示す従来例と同様の方法で行うことができる。化粧枠１２を外した後、接続ターミナル１４を固定しているねじ３０を取外し、接続ターミナル１４を室内側に向けて下方に引き出す。次いで、送風機６のモーターリード線１５を接続ターミナル１４から取り外し、その後に送風機６を本体１の天面１ａから外して室内側に取出すようにする。
【００６０】
その後は、新品の送風機６を本体１の天面１ａの下面に固着し、そして、送風機６からのモーターリード線１５を接続ターミナル１４に連結してファンケーシング８を本体天面１ａに固定し、最後に化粧グリル１２を取付ければ良い。
【００６１】
上記方法によれば、接続ターミナル１４を固定しているねじ３０を取外し、接続ターミナル１４を取外す必要があるが、モーターリード線を接続するリード接続部も速結端子機能を有し、コードブッシュ３１と対向する面、すなわち本体内面側に設けることにより、接続ターミナル１４を本体天面１ａから外すことなく、リード接続部解除レバー２８ａによりモーターリード１５の取外しと、接続ができる。
【００６２】
また、接続ターミナル１４に接続ターミナル固定部２９を一体成形にて設けたため、図１６、１７に示す従来例のような配線板３１６が不要である。さらに接続ターミナル１４のリード接続部側に、コンデンサーモーターの起動のためのコンデンサーを収納する収納部３３を設けることにより、送風機６と接続ターミナル１４を結合するだけで換気扇内の電気配線が完了する。そして、リサイクル時においても送風機６を固定していたねじ１３と接続ターミナル１４を固定していたねじ３０を取外すことにより、本体１部分からモーターと電気配線部分を容易に取外すことができる。
【００６３】
上記施工を行った場合には、本体１内に位置するＢ接続部２７は使用されない。この接続部Ｂ２７は換気扇が浴室にて使用される場合は高湿の雰囲気にさらされる。しかし、このような使用方法においてはＢ接続部２７の２つの極性の間隔を大きくとったり、例えば薄肉のゴムシートなどを張りつけておき、使用する場合に、このゴムシートを外部電源線１７の先端部で貫通し接続するようにすれば良い。また、Ｂ接続部２７には換気扇運転時には通電されるため、例えばリフォームなどで天井面に電源が必要な場合は、Ｂ接続部２７により電源供給が可能となる。
【００６４】
実施の形態２．
図６は実施の形態２によるダクト用換気扇における設置時の状態を示す部分横断面図、図７は実施の形態２によるダクト用換気扇における設置時の状態を示す部分横断面図、図８は実施の形態２による接続ターミナルの斜視図である。以下、この発明の実施の形態２につき図６乃至図８を用いて説明する。実施の形態１との相違部分のみ説明する。
【００６５】
Ｂ接続ターミナル４０は略半円筒形で、この円筒形をさらに１／２とした１/４円筒形の２つの側面の一方には、モーターリード線１５を接続するリード接続部２８を有し、もう一方の側面にはＡ接続部２６を有している。リード接続部２８と接続部Ａ２６は電気的に接続されている。さらに、Ｂ接続ターミナル４０の円筒の中心軸部に回動支点４１を有している。
【００６６】
Ｂ接続ターミナル４０は本体天面１ａのコーナー部でファンケーシング８の舌部８ａに位置する部分に設けられた天面開口部１ｂからＡ接続部２６が本体１の外側に露出するように、前記回動支点４１が水平になるように本体天面１ａに本体内部側から前記回動支点を支点支え４２により着脱自在にかつ、回動自在にねじ４３により固定されている。この状態においては、リード接続部２８は本体１の内面に面している。また、天面開口部１ｂはＢ接続ターミナル４０の外郭部分にて回動位置に無関係に塞ぐことが出来る。
【００６７】
作用について説明する。図６は図１４、１５の従来例と図１６、１７の従来例と同様の取付方法で主に電気工事業者または、設備業者が電気工事士の資格を有する場合である。先ずＢ接続ターミナル４０は、天面開口部１ｂからＡ接続部２６が本体１の外側に露出するように回動され、セットする。
【００６８】
外部電源線１７を前記本体１の外側に露出するように設けられたＡ接続部２６に、野縁５に天井板４ａを打ち付ける前の段階で接続した後、前記と同様の取付工事を行う。以下実施の形態１と同様の方法で施工を行う。Ａ接続部２６は本体天面１ａから露出しているため、外部電源線１７とＡ接続部２６の接続が容易にかつ早く行うことができる。
【００６９】
図７は図９〜１３に示す従来例と同様の取付方法で主に設備業者の場合である。先ずＢ接続ターミナル４０は、天面開口部１ｂからＡ接続部２６が本体１の外側に露出しないように回動され、すなわち、Ａ接続部２６が本体内部に位置するようにセットし、外部電源線１７を前記コードブッシュ３１から、本体１内に引き込んでおき、本体の取付施工を行う。以下実施の形態１と同様の方法で施工を行う。
【００７０】
ところで、送風機６が故障した場合には、実施の形態１と同様、モーターリード線を接続するリード接続部も速結端子機能を有することで、接続ターミナルＢ４０を本体天面１ａから外すことなく、リード接続部解除レバー２８ａによりモーターリード１５の取外しと、接続ができる。なお、本説明の図１、図３、図６、図７においては、Ａ接続部２６は天井裏面に露出しているが、例えば充電部に埃、結露水などが付着しないように、この部分をカバーなどで覆うことが望ましいことは言うまでもないが、説明は省略している。
【図面の簡単な説明】
【００７１】
【図１】この発明の実施の形態１によるダクト用換気扇における設置時の状態を示す横断面図である。
【図２】この発明の実施の形態１によるダクト用換気扇の正面図である。
【図３】この発明の実施の形態１によるダクト用換気扇における設置時の状態を示す部分横断面図である。
【図４】この発明の実施の形態１による接続ターミナルの斜視図である。
【図５】この発明の実施の形態１による接続ターミナルの斜視図である。
【図６】この発明の実施の形態２によるダクト用換気扇における設置時の状態を示す部分横断面図である。
【図７】この発明の実施の形態２によるダクト用換気扇における設置時の状態を示す部分横断面図である。
【図８】この発明の実施の形態２による接続ターミナルの斜視図である。
【図９】従来のダクト用換気扇における設置時の状態を示す横断面図である。
【図１０】図９に示すダクト用換気扇の正面図である。
【図１１】図９に示すダクト用換気扇の状態を示す縦断面図である。
【図１２】図９に示すダクト用換気扇のファンカバーの状態を示す斜視図である。
【図１３】図９に示すダクト用換気扇の設置方法の状態を示す図である。
【図１４】従来のダクト用換気扇における設置時の状態を示す横断面図である。
【図１５】図１４に示すダクト用換気扇の設置方法の状態を示す斜視図である。
【図１６】従来のダクト用換気扇における設置時の状態を示す横断面図である。
【図１７】図１６に示すダクト用換気扇の設置方法の状態を示す部分斜視図である。
【符号の説明】
【００７２】
１  本体、２  フランジ部、３  取付用開口部、４  天井、５  野縁、６  送風機、７  ファン、８  ファンケーシング、９  吸込口、１０  袋ナット、 １１  化粧グリル引っ掛け部、１２  化粧グリル、１３  ねじ、１４  接続ターミナル、１５  モーターリード線、１６  ねじ、１７  外部電源線、２６  Ａ接続部、２７  Ｂ接続部、２８  リード接続部、２９  接続ターミナル固定部、３０  ねじ、３１  コードブッシュ、３２  仕切壁、３３  コンデンサー収納部、４０  Ｂ接続ターミナル、４１  回動支点、４２  支点支え、４３  ねじ。
【図１】
2007093205.tif 000003
【図２】
2007093205.tif 000004
【図３】
2007093205.tif 000005
【図４】
2007093205.tif 000006
【図５】
2007093205.tif 000007
【図６】
2007093205.tif 000008
【図７】
2007093205.tif 000009
【図８】
2007093205.tif 000010
【図９】
2007093205.tif 000011
【図１０】
2007093205.tif 000012
【図１１】
2007093205.tif 000013
【図１２】
2007093205.tif 000014
【図１３】
2007093205.tif 000015
【図１４】
2007093205.tif 000016
【図１５】
2007093205.tif 000017
【図１６】
2007093205.tif 000018
【図１７】
2007093205.tif 000019